(57)【要約】【課題】クリップにおいて留め付け対象物に設けられた取付穴への挿入力をクリップの機能を損なうことなく効果的に低減させる。【解決手段】頭部Ｈと脚部Ｌとを備え、留め付け対象物Ｍに設けられた取付穴Ｍａへの脚部Ｌの押し込みをこの脚部Ｌの一部の弾性変形により許容すると共に、押し込み終了位置でのこの一部の弾性復帰により前記頭部Ｈとこの一部との間で前記留め付け対象物Ｍを挟み付けてこの留め付け対象物Ｍに留め付くクリップである。脚部Ｌは非変形部４と、この非変形部４から張り出す前記一部となる変形部５とを備えると共に、この変形部５の先端部５ｃ及び非変形部４に連接された基部５ｄがいずれも、前記脚部Ｌの中心軸を巡る仮想の螺旋に沿うように形成されている。【選択図】図２
2011122646.tif 000002
【特許請求の範囲】
【請求項１】
頭部と脚部とを備え、留め付け対象物に設けられた取付穴への脚部の押し込みをこの脚部の一部の弾性変形により許容すると共に、押し込み終了位置でのこの一部の弾性復帰により前記頭部とこの一部との間で前記留め付け対象物を挟み付けてこの留め付け対象物に留め付くクリップであって、
脚部は非変形部と、この非変形部から張り出す前記一部となる変形部とを備えると共に、
この変形部の先端部及び非変形部に連接された基部がいずれも、前記脚部の中心軸を巡る仮想の螺旋に沿うように形成されていることを特徴とするクリップ。
【請求項２】
変形部が、脚部の中心軸に直交する向きの断面においてこの中心軸に向いた内面とこれと背中合わせとなる外面とを備えたひれ状をなすように構成されていることを特徴とする請求項１に記載のクリップ。
【発明の詳細な説明】
【技術分野】
【０００１】
この発明は、脚部を留め付け対象物に設けられた取付穴に押し込むことを通じてこの留め付け対象物に留め付くクリップの改良に関する。
【背景技術】
【０００２】
部位（留め付け対象物）に形成された取付穴に挿入する際に弾性変形する弾性部を、支柱とこの支柱のほぼ全長から外側方向に伸びておりかつ板状に形成されている複数枚の羽根部とから構成すると共に、この羽根部の先端を支柱を巡る仮想の螺旋に沿うように配してなるクリップがある。（特許文献１参照）このように弾性部の先端を螺旋に沿うように配すると取付穴にクリップを捻回させずに押し込んでも捻回させたと同様の効果が得られ取付穴への押し込みのスムースさ、つまり、挿入性の向上が図られる。
【０００３】
しかるにかかるクリップにあっては、羽根部の先端は螺旋に沿っているがその基部は支柱部の長さ方向に沿ってこの支柱部に単純に連接されているにとどまるため、羽根部の先端を力点とする羽根部の変形中心は常にかかる先端における取付穴に圧接されている箇所の内側に位置される。このため、かかるクリップでは羽根部の先端を螺旋に沿わせながらも羽根部の変形には羽根部の剛性に相応した力を必要とするものであり、取付穴への押し込みに要する力、つまり挿入力の低減に限界を有するところであった。
【先行技術文献】
【特許文献】
【０００４】
【特許文献１】特許第３７６８３０８号公報
【発明の概要】
【発明が解決しようとする課題】
【０００５】
この発明が解決しようとする主たる問題点は、この種のクリップにおいて、留め付け対象物に設けられた取付穴への挿入力をクリップの機能を損なうことなく効果的に低減させる点にある。
【課題を解決するための手段】
【０００６】
前記課題を達成するために、この発明にあっては、クリップを、頭部と脚部とを備え、留め付け対象物に設けられた取付穴への脚部の押し込みをこの脚部の一部の弾性変形により許容すると共に、押し込み終了位置でのこの一部の弾性復帰により前記頭部とこの一部との間で前記留め付け対象物を挟み付けてこの留め付け対象物に留め付くクリップであって、
脚部は非変形部と、この非変形部から張り出す前記一部となる変形部とを備えると共に、
この変形部の先端部及び非変形部に連接された基部がいずれも、前記脚部の中心軸を巡る仮想の螺旋に沿うように形成されているものとした。
【０００７】
また、前記変形部を、脚部の中心軸に直交する向きの断面においてこの中心軸に向いた内面とこれと背中合わせとなる外面とを備えたひれ状をなすように構成することが好ましい態様の一つとされる。
【０００８】
留め付け対象物の取付穴に脚部を押し込むと、変形部の先端部が取付穴側に圧接して変形部が弾性変形しこの取付穴への脚部の押し込みが許容される。変形部はかかる先端部及び非変形部に連接された基部を前記仮想の螺旋に沿うように形成させていることから、先端部を力点とする変形部の変形中心は先端部における取付穴に圧接されている箇所の内側でなく、常にこの箇所よりも脚部における取付穴の差し込み先側に位置される基部となる。すなわち、前記押し込みの過程において前記力点に対し変形中心は取付穴における脚部の差し込み先側に位置されるかこの取付穴から既に抜け出している。この結果、かかるクリップによれば、その脚部の取付穴への押し込みに要する力、すなわち、挿入力を効果的に低減させることが可能となっている。また、変形部を前記外面を備えたひれ状をなすように構成しておけば、変形部は取付穴への脚部の押し込み時にはこの取付穴側に前記仮想の螺旋に沿うように設けられたこの外面を面的に接触させながら前記中心軸に近づく向きに変形され、したがってまた、この押し込み時に損耗を生じ難い。
【発明の効果】
【０００９】
この発明によれば、留め付け対象物に設けられた取付穴への脚部の挿入力をクリップの機能を損なうことなく効果的に低減させることができる。したがってまた、かかる脚部の損耗を生じ難く、繰り返しの使用にも耐え得る特長を有する。
【図面の簡単な説明】
【００１０】
【図１】図１はクリップの正面図であり、留め付け対象物を想像線で示して同時に表している。
【図２】図２はクリップの右側面図である。
【図３】図３は図１におけるＡ−Ａ線位置での破断端面図である。
【図４】図４は図１におけるＢ−Ｂ線位置での破断端面図である。
【図５】図５は図１におけるＣ−Ｃ線位置での破断端面図である。
【図６】図６は図１におけるＤ−Ｄ線位置での破断端面図である。
【発明を実施するための形態】
【００１１】
以下、図１〜図６に基づいて、この発明の典型的な実施の形態について、説明する。この実施の形態にかかるクリップは、その脚部Ｌを留め付け対象物Ｍに設けられた取付穴Ｍａに押し込むことを通じてこの留め付け対象物Ｍに留め付くものである。かかるクリップは、取付穴Ｍａの設けられた複数の留め付け対象物Ｍ、典型的には、複数のパネルを、それぞれの取付穴Ｍａを連通させ合わせるように積層させた状態から、かかる取付穴Ｍａへの前記脚部Ｌの押し込みを通じてこれら複数の留め付け対象物Ｍをクリップを介して留め合わせるように用いることができる。また、かかるクリップは、前記取付穴Ｍａに入り込まない頭部Ｈに他の対象物の取付部や留め付け部を形成させておくようにすることもでき、このようにしておけば前記留め付け対象物Ｍとかかる他の対象物とをクリップを介して接続させることもできる。
【００１２】
この実施の形態にあっては、クリップは頭部Ｈと脚部Ｌとを備えており、この頭部Ｈをもって他の対象物に取り付けられるようになっている。
【００１３】
クリップは、全体として概ね軸状をなし、その軸中心線ｘを脚部Ｌの仮想の中心軸とするように構成されている。頭部Ｈは前記留め付け対象物Ｍの取付穴Ｍａに入り込まない大きさを有している。図示の例では、かかる頭部Ｈは前記軸中心線ｘを巡る周回溝部１を有しており、この周回溝部１により円板状をなすトップ部２と、これより大径の円板状をなすフランジ部３とを持つように構成されている。図示の例では、典型的には、図示しない他の対象物に形成されたダルマ穴の大径部にクリップにおけるフランジ部３から上となる箇所を挿通させた状態から、周回溝部１をかかるダルマ穴の小径部に入り込ませるようにクリップを前記軸中心線ｘに直交する向きに移動又は相対的に移動させることで、トップ部２とフランジ部３との間で他の対象物の一部を挟み付けてこの他の対象物に頭部Ｈを取り付けることができるようにしてある。
【００１４】
脚部Ｌは、留め付け対象物Ｍに設けられた取付穴Ｍａへのこの脚部Ｌの押し込みをこの脚部Ｌの一部の弾性変形により許容すると共に、押し込み終了位置でのこの一部の弾性復帰により前記頭部Ｈとこの一部との間で前記留め付け対象物Ｍを挟み付けてこの留め付け対象物Ｍに留め付くように構成されている。そして、かかる脚部Ｌは非変形部４と、この非変形部４から張り出す前記一部となる変形部５とを備えている。
【００１５】
図示の例では、かかる脚部Ｌは、前記頭部Ｈから前記軸中心線ｘに沿って突き出すように形成されている。脚部Ｌは、半球状をなす端末部４０と、この端末部４０と頭部Ｈとの間に亘る中心部４１と、前記軸中心線ｘを中心とした仮想の円ｒの円弧に沿うようにして中心部４１から張り出す腕部４２と、この腕部４２から前記仮想の円ｒの円弧よりも外側に張り出す変形部５とを備えている。かかる仮想の円ｒの直径は前記取付穴Ｍａの穴径と略等しい設定となっており、端末部４０と中心部４１と腕部４２が前記非変形部４として機能するようになっている。図示の例では、端末部４０における中心部４１との連接側４０ａの外径が前記取付穴Ｍａの穴径と略等しく、中心部４１は前記取付穴Ｍａの穴径と略等しい幅の板状をなしている。腕部４２は中心部４１を挟んだ両側にそれぞれ形成されている。各腕部４２はそれぞれ前記軸中心線ｘを筒軸とする仮想の筒体の筒壁の一部をなすように構成され内面と外面とを有している。腕部４２の一方は中心部４１の長さ方向に沿った一方の縁部４１ａから前記仮想の円ｒの円弧に沿うように張り出している。また、腕部４２の他方は中心部４１の長さ方向に沿った他方の縁部４１ａから前記仮想の円ｒの円弧に沿うようにして腕部４２の一方と同じ向き（図３〜図６における時計回りの向き）に張り出している。腕部４２の下端４２ａは端末部４０に一体に連接され、腕部４２の上端４２ｂとフランジ部３とは分断されており両者の間には間隔が形成されるようになっている。
【００１６】
変形部５は、非変形部４である腕部４２の張り出し端、つまり腕端４２ｃから張り出している。また、かかる変形部５は、前記軸中心線ｘ、すなわち、脚部Ｌの中心軸に直交する向きの断面においてこの中心軸に向いた内面５ａとこれと背中合わせとなる外面５ｂとを備えたひれ状をなすように構成されている。図示の例では、変形部５は端末部４０側では前記仮想の円ｒの円弧内に位置し、（図３）ここから頭部Ｈ側に向かうに連れてかかる仮想の円ｒの円弧よりも外側にその先端部５ｃ側を次第に張り出させ、（図４→図５→図６）図６の位置において脚部Ｌを最も太くし、（最大径部）そこから腕部４２の上端に向かうに連れて次第に非変形部４からの張り出し量を減ずるように構成されている。すなわち、変形部５は腕部４２の上端４２ｂと下端４２ａとの間に亘って腕端４２ｃから張り出すように形成されている。また、かかる変形部５の先端部５ｃ及び非変形部４に連接された基部５ｄ（変形部５における前記腕部４２の腕端４２ｃとの連接箇所）はいずれも、前記脚部Ｌの中心軸を巡る仮想の螺旋に沿うように形成されている。また、図示の例では、変形部５の厚さは端末部４０側で最も厚く、（図３）その余の箇所ではこれよりも薄くなっている。（図４〜図６）
【００１７】
留め付け対象物Ｍの取付穴Ｍａに脚部Ｌを押し込むと、変形部５の先端部５ｃが取付穴Ｍａ側に圧接して変形部５が弾性変形しこの取付穴Ｍａへの脚部Ｌの押し込みが許容される。変形部５はかかる先端部５ｃ及び非変形部４に連接された基部を前記仮想の螺旋に沿うように形成させていることから、先端部５ｃを力点とする変形部５の変形中心は先端部５ｃにおける取付穴Ｍａに圧接されている箇所の内側でなく、常にこの箇所よりも脚部Ｌにおける取付穴Ｍａの差し込み先側に位置される基部５ｄとなる。例えば、図２において符号Ｐ１で示される箇所が取付穴Ｍａ側に圧接されているときは変形部５の変形中心は図２において符号Ｐ２で示される箇所となる。すなわち、前記押し込みの過程において前記力点に対し変形中心は取付穴Ｍａにおける脚部Ｌの差し込み先側に位置されるかこの取付穴Ｍａから既に抜け出している。この結果、かかるクリップによれば、その脚部Ｌの取付穴Ｍａへの押し込みに要する力、すなわち、挿入力を効果的に低減させることが可能となっている。また、変形部５は、前記外面５ｂを備えたひれ状をなすように構成されていることから、取付穴Ｍａへの脚部Ｌの押し込み時にはこの取付穴Ｍａ側に前記仮想の螺旋に沿うように設けられたこの外面５ｂを面的に接触させながら前記中心軸に近づく向きに変形され、したがってまた、この押し込み時に損耗を生じ難い。図示の例では、頭部Ｈのフランジ部３が留め付け対象物Ｍの一面に突き当たった位置が脚部Ｌの押し込み終了位置となり、この押し込み終了位置において脚部Ｌの最大径部は留め付け対象物Ｍの他面側に抜け出していることから、弾性復帰した変形部５とフランジ部３との間で留め付け対象物Ｍを挟み付けてクリップはこの留め付け対象物Ｍに留め付く。（図１）
【００１８】
以上に説明したクリップにおける弾性変形特性を有すべき箇所へのこの特性の付与は、典型的にはかかるクリップを合成樹脂の成形品とすることで、容易且つ適切に確保させることができる。
【符号の説明】
【００１９】
Ｍ  留め付け対象物
Ｍａ  取付穴
Ｈ  頭部
Ｌ  脚部
４  非変形部
５  変形部
５ｃ  先端部
５ｄ  基部
【図１】
2011122646.tif 000003
【図２】
2011122646.tif 000004
【図３】
2011122646.tif 000005
【図４】
2011122646.tif 000006
【図５】
2011122646.tif 000007
【図６】
2011122646.tif 000008